(57)【要約】【課題】ケーブルの位置決め及び接地接続を容易かつ確実に行える電子装置を提供すること。【解決手段】電子回路基板３０と、電子回路基板３０から分離したアンテナ基板４０と、電子回路基板３０とアンテナ基板４０とを電気的に接続するケーブル５０と、上部が開放されるとともにケーブル５０の余長部分を収納する収納部６１と、ケーブル５０の余長部分に設けられるとともにケーブル５０のシールド部分と電気的に接続された端子５２と、収納部６１の上部を覆うように配設されるとともに、導体よりなり、接地に電気的に接続され、かつ、端子５２と電気的に接続される蓋部材７０と、を備える。【選択図】図１
2012174942.tif 000002
【特許請求の範囲】
【請求項１】
電子回路基板と、
前記電子回路基板から分離したアンテナ基板と、
前記電子回路基板と前記アンテナ基板とを電気的に接続するケーブルと、
上部が開放されるとともに前記ケーブルの余長部分を収納する収納部と、
前記ケーブルの余長部分に設けられるとともに前記ケーブルのシールド部分と電気的に接続された端子と、
前記収納部の上部を覆うように配設されるとともに、導体よりなり、接地に電気的に接続され、かつ、前記端子と電気的に接続される蓋部材と、
を備えることを特徴とする電子装置。
【請求項２】
前記収納部内にて前記蓋部材と前記ケーブルの余長部分及び前記端子との間に配設されるとともに弾性変形可能な導体よりなるガスケットを備え、
前記ケーブルは、同軸ケーブルであり、
前記端子は、前記同軸ケーブルの外部導体をカシメ固定したカシメ金具であることを特徴とする請求項１記載の電子装置。
【請求項３】
前記収納部内にて前記蓋部材と前記ケーブルの余長部分及び前記端子との間に配設されるとともに弾性変形可能な導体よりなるガスケットを備え、
前記ケーブルは、フレキシブル配線基板であり、
前記端子は、前記フレキシブル配線基板に搭載されたランド開口又は接触用プレートであることを特徴とする請求項１記載の電子装置。
【請求項４】
前記ケーブルは、フレキシブル配線基板であり、
前記端子は、前記フレキシブル配線基板に搭載されるとともに前記蓋部材と弾性的に接触するオンボードコンタクトであることを特徴とする請求項１記載の電子装置。
【請求項５】
前記収納部を有するフレームを備え、
前記蓋部材は、前記フレームに取り付けられることを特徴とする請求項１乃至４のいずれか一に記載の電子装置。
【請求項６】
前記アンテナ基板は、前記フレームに取り付けられていることを特徴とする請求項５記載の電子装置。
【請求項７】
前記電子回路基板は、接地と電気的に接続されるとともに前記蓋部材と弾性的に接触するオンボードコンタクトを有することを特徴とする請求項１乃至６のいずれか一に記載の電子装置。
【請求項８】
前記蓋部材は、前記電子回路装置の接地と弾性的に接触するバネ接点を有することを特徴とする請求項１乃至６のいずれか一に記載の電子装置。
【請求項９】
前記ケーブルと前記アンテナ基板とを電気的に接続するコネクタを備えることを特徴とする請求項１乃至８のいずれか一に記載の電子装置。
【請求項１０】
前記ケーブルと前記電子回路基板とを電気的に接続する他のコネクタを備えることを特徴とする請求項１乃至８のいずれか一に記載の電子装置。
【発明の詳細な説明】
【技術分野】
【０００１】
本発明は、電子装置に関し、特に、電子部品間をケーブルで電気的に接続した構造を有する電子装置に関する。
【背景技術】
【０００２】
従来の電子装置において、電子部品間をケーブルで電気的に接続した構造を有するものがある。例えば、通信装置（電子装置）では、電子回路基板（電子部品）とアンテナ（電子部品）とを電気的に接続するのにケーブルを用いている（例えば、特許文献２参照）。ケーブルは、ケース内で引き回され、作業上の問題から余長を有する。特に、同軸ケーブルは、一般的に長さの寸法公差が大きいため、決められた位置へそれぞれの端部を固定しようとする場合、長さが足りなくなる可能性があるため、寸法公差が最小なものでも組み立て可能な寸法で設計される。そのため、長めの同軸ケーブルを用意する必要がある。
【先行技術文献】
【特許文献】
【０００３】
【特許文献１】特開２００１−２５７４８７号公報
【発明の概要】
【発明が解決しようとする課題】
【０００４】
しかしながら、近年、電子部品がケース内に高密度に実装されるようになり、ケーブルの余長部分が悪影響を及ぼすようになってきた。
【０００５】
例えば、図６のようにケーブル１５０が定位置に収まるようにフレーム１６０に設けられた複数のフック１６２で固定する場合、フックのない部分でケーブル１５０の余長部分（１５３ａのみ、１５３ｂのみ、１５３ａ及び１５３ｂの両方、その他の余長部分）が定位置からフックのない任意の箇所へはみ出し、組立性が悪くなるといった問題がある。また、ケーブル１５０の余長部分１５３ａ、１５３ｂが定位置からはみ出すと、余長部分１５３ａ、１５３ｂが組立時にケース１１０の合わせ目（結合部分）に噛み込まれて、ケーブル１５０が断線してしまうおそれがある。
【０００６】
また、ケーブル１５０がアンテナ（図示せず）に電気的に接続される場合、ケーブル１５０の余長部分１５３ａ、１５３ｂの位置のばらつきによりフォーミングが安定せず、アンテナ特性が不安定になるおそれがある。また、ケーブル１５０の余長部分１５３ａ、１５３ｂの位置のばらつきにより余長部分１５３ａ、１５３ｂが固定されないため、バイブ等の振動で余長部分１５３ａ、１５３ｂが暴れ、ビリツキや異音が発生するおそれがある。
【０００７】
ところで、ケーブルをアンテナに接続する場合、アンテナ特性の劣化を回避するために、ケーブルの中間部分に接地導体と電気的に接続された端子を設けて、端子を電子回路基板の接地に電気的に接続するものがある。しかしながら、ケーブルの余長部分により、ケーブルの端子の位置にバラツキが生じ、接触不良になるおそれがある。
【０００８】
例えば、図７（Ａ）のようにケーブル１５０の端子１５２を電子回路基板１３０の接地に接続するために、電子回路基板１３０上に接地に電気的に接続されたクランプ１３３を搭載し、端子１５２をクランプ１３３で摘んで固定接続すると、ケーブル１５０の長さのばらつきや、ケーブル１５０上での端子１５２の位置のばらつきにより、図７（Ｂ）や図７（Ｃ）のように端子１５２とクランプ１３３との位置にズレが生じ、端子１５２とクランプ１３３とが接触不良になるおそれがある。
【０００９】
また、製造時に、クランプ１３３と端子１５２との位置合わせや、クランプ１３３への端子１５２のはめ込み、接続信頼性のためのクランプ１３３とカシメ端子１５２との接続部分への半田付けなどの工程が必要となる。
【００１０】
本発明の主な課題は、ケーブルの位置決め及び接地接続を容易かつ確実に行える電子装置を提供することである。
【課題を解決するための手段】
【００１１】
本発明の一視点においては、電子装置において、電子回路基板と、前記電子回路基板から分離したアンテナ基板と、前記電子回路基板と前記アンテナ基板とを電気的に接続するケーブルと、上部が開放されるとともに前記ケーブルの余長部分を収納する収納部と、前記ケーブルの余長部分に設けられるとともに前記ケーブルのシールド部分と電気的に接続された端子と、前記収納部の上部を覆うように配設されるとともに、導体よりなり、接地に電気的に接続され、かつ、前記端子と電気的に接続される蓋部材と、を備えることを特徴とする。
【００１２】
本発明の前記電子装置において、前記収納部内にて前記蓋部材と前記ケーブルの余長部分及び前記端子との間に配設されるとともに弾性変形可能な導体よりなるガスケットを備え、前記ケーブルは、同軸ケーブルであり、前記端子は、前記同軸ケーブルの外部導体をカシメ固定したカシメ金具であることが好ましい。
【００１３】
本発明の前記電子装置において、前記収納部内にて前記蓋部材と前記ケーブルの余長部分及び前記端子との間に配設されるとともに弾性変形可能な導体よりなるガスケットを備え、前記ケーブルは、フレキシブル配線基板であり、前記端子は、前記フレキシブル配線基板に搭載されたランド開口又は接触用プレートであることが好ましい。
【００１４】
本発明の前記電子装置において、前記ケーブルは、フレキシブル配線基板であり、前記端子は、前記フレキシブル配線基板に搭載されるとともに前記蓋部材と弾性的に接触するオンボードコンタクトであることが好ましい。
【００１５】
本発明の前記電子装置において、前記収納部を有するフレームを備え、前記蓋部材は、前記フレームに取り付けられることが好ましい。
【００１６】
本発明の前記電子装置において、前記アンテナ基板は、前記フレームに取り付けられていることが好ましい。
【００１７】
本発明の前記電子装置において、前記電子回路基板は、接地と電気的に接続されるとともに前記蓋部材と弾性的に接触するオンボードコンタクトを有することが好ましい。
【００１８】
本発明の前記電子装置において、前記蓋部材は、前記電子回路装置の接地と弾性的に接触するバネ接点を有することが好ましい。
【００１９】
本発明の前記電子装置において、前記ケーブルと前記アンテナ基板とを電気的に接続するコネクタを備えることが好ましい。
【００２０】
本発明の前記電子装置において、前記ケーブルと前記電子回路基板とを電気的に接続する他のコネクタを備えることが好ましい。
【発明の効果】
【００２１】
本発明によれば、ケーブルの余長部分を収納する収納部を設け、ケーブルの余長部分においてシールド部に電気的に接続された端子を設け、端子が、収納部を覆う蓋部材を介して接地に電気的に接続されることで、ケーブルの位置決め及び接地接続を容易かつ確実に行える。
【図面の簡単な説明】
【００２２】
【図１】本発明の実施例１に係る電子装置の構成を模式的に示した展開斜視図である。
【図２】本発明の実施例１に係る電子装置における電気的な接続関係を模式的に示した拡大部分展開斜視図である。
【図３】本発明の実施例１に係る電子装置におけるフレームの収納エリアにケーブルの端子が収納された状態を模式的に示した拡大部分斜視図である。
【図４】本発明の実施例１に係る電子装置におけるフレームの収納エリアにケーブルの余長部分が収納された状態を模式的に示した拡大平面図である。
【図５】本発明の実施例１に係る電子装置におけるフレームの収納エリアにガスケットが収納された状態を模式的に示した拡大平面図である。
【図６】従来例１に係る電子装置におけるケーブルの余長部分が定位置からはみ出した状態を模式的に示した拡大部分平面図である。
【図７】従来例２に係る電子装置におけるケーブルの端子と電子回路基板のクランプとの位置ズレを説明するための拡大部分平面図であり、（Ａ）正常な場合、（Ｂ）一方側にずれた場合、（Ｂ）他方側にずれた場合の図である。
【発明を実施するための形態】
【００２３】
本発明の実施形態に係る電子装置では、電子回路基板（図１の３０）と、前記電子回路基板から分離したアンテナ基板（図１の４０）と、前記電子回路基板と前記アンテナ基板とを電気的に接続するケーブル（図１の５０）と、上部が開放されるとともに前記ケーブルの余長部分（図４の５３）を収納する収納部（図１の６１）と、前記ケーブルの余長部分に設けられるとともに前記ケーブルのシールド部分と電気的に接続された端子（図１の５２）と、前記収納部の上部を覆うように配設されるとともに、導体よりなり、接地に電気的に接続され、かつ、前記端子と電気的に接続される蓋部材（図１の７０）と、を備える。
【００２４】
なお、本出願において図面参照符号を付している場合は、それらは、専ら理解を助けるためのものであり、図示の態様に限定することを意図するものではない。
【実施例１】
【００２５】
本発明の実施例１に係る電子装置について図面を用いて説明する。図１は、本発明の実施例１に係る電子装置の構成を模式的に示した展開斜視図である。図２は、本発明の実施例１に係る電子装置における電気的な接続関係を模式的に示した拡大部分展開斜視図である。図３は、本発明の実施例１に係る電子装置におけるフレームの収納エリアにケーブルの端子が収納された状態を模式的に示した拡大部分斜視図である。図４は、本発明の実施例１に係る電子装置におけるフレームの収納エリアにケーブルの余長部分が収納された状態を模式的に示した拡大平面図である。図５は、本発明の実施例１に係る電子装置におけるフレームの収納エリアにガスケットが収納された状態を模式的に示した拡大平面図である。
【００２６】
図１を参照すると、電子装置は、筐体（ケース１０とカバー２０とを組み合わせたもの）内に電子回路基板３０とアンテナ基板４０とをケーブル５０を介して電気的に接続した構成を有する装置であり、例えば、携帯電話機などの無線通信機能を有する無線装置全般に適用することができる。電子装置は、主な構成要素として、ケース１０と、カバー２０と、電子回路基板３０と、アンテナ基板４０と、ケーブル５０と、フレーム６０と、ケーブル押さえ蓋７０と、ガスケット８０と、を有する。
【００２７】
ケース１０は、実装部品（電子回路基板３０、アンテナ基板４０、ケーブル５０、フレーム６０、ケーブル押さえ蓋７０、及びガスケット８０）の表側（例えば、表示画面側）を覆う筐体である。ケース１０は、カバー２０と組み合わさる。
【００２８】
カバー２０は、実装部品（電子回路基板３０、アンテナ基板４０、ケーブル５０、フレーム６０、ケーブル押さえ蓋７０、及びガスケット８０）の裏側（例えば、電池蓋側）を覆う筐体である。カバー２０は、ケース１０と組み合わさる。
【００２９】
電子回路基板３０は、配線基板に電子部品が搭載された基板である。電子回路基板３０は、ケース１０側の面において、ケーブル５０のコネクタ５１ｂと対応する位置にコネクタ３１が搭載されている。コネクタ３１は、コネクタ５１ｂと接続固定されることで電子回路基板３０とケーブル５０とを電気的に接続する。電子回路基板３０は、カバー２０側の面におけるフレーム６０の収納エリア６１の近傍の部分にオンボードコンタクト３２が取り付けられている。オンボードコンタクト３２は、弾性変形可能な導体であり、フレーム６０の収納エリア６１を覆うように取り付けられたケーブル押さえ蓋７０と弾性的に接触し、ケーブル押さえ蓋７０及びガスケット８０を介してケーブル５０の端子５２と電気的に接続され、電子回路基板３０の本体の接地配線に電気的に接続される。電子回路基板３０は、ケース１０とカバー２０とが組み合わさった筐体内に実装固定されている。
【００３０】
アンテナ基板４０は、電子回路基板３０から分離して独立したアンテナ回路を有する基板である。アンテナ基板４０には、プリント配線基板を用いることができるが、フレキシブル配線基板でも同様の構成が可能である。電子回路基板３０の搭載部品や配線はアンテナ特性に影響を与えるところ、アンテナ回路を分離することで、特性的に有利な場所へアンテナ回路を配置することができる。アンテナ基板４０は、送受信する際に電子装置自身の部品の影響を受けにくくするため、外界に近い筐体内の周辺部に設置される。その際、アンテナ基板４０は、ケーブル５０を介して電子回路基板３０と電気的に接続される。アンテナ基板４０は、ケース１０側の面に、ケーブル５０のコネクタ５１ａと着脱可能に接続固定されるコネクタ４１が搭載されている。アンテナ基板４０は、土台となるフレーム６０に固定される。
【００３１】
ケーブル５０は、アンテナ基板４０と電子回路基板３０とを電気的に接続する配線部品である。ケーブル５０は、図１では内部導体の外周に誘電体を介して外部導体が配されて当該外部導体（シールド部）が保護被覆で覆われた同軸ケーブルである。ケーブル５０は、両端にコネクタ５１ａ、５１ｂを備えている。コネクタ５１ａは、アンテナ基板４０のコネクタ４１に着脱可能に接続固定される（図２参照）。コネクタ５１ｂは、電子回路基板３０のコネクタ３１に着脱可能に接続固定される（図２参照）。ケーブル５０の配線経路は、フレーム６０に設けられた溝部、又は、フレーム６０とケース１０との間に形成された溝に押し込み組付けられる。ケーブル５０は、コネクタ５１ａ、５１ｂ間の配線部分で保護被覆（絶縁体）を剥がして表面に現れた同軸ケーブルの外部導体を、カシメ金具を用いてカシメ固定した端子５２を有する。端子５２は、ケーブル５０の外部導体を流れる電流を接地に落とすためのものであり、アンテナ特性を安定化させるためのものである。端子５２は、ケーブル５０の余長部分５３とともに、フレーム６０の収納エリア６１に収納され（図３、図４参照）、ガスケット８０を介してケーブル押さえ蓋７０で収納エリア６１内に押え付けられている。これにより、ケーブル５０の余長部分５３が収納エリア６１から飛び出すのを抑制することができる。端子５２は、ガスケット８０と弾性的に接触しており、ガスケット８０、ケーブル押さえ蓋７０、及びオンボードコンタクト３２を介して電子回路基板３０の接地に電気的に接続されている（図２参照）。
【００３２】
フレーム６０は、ケース１０とカバー２０とが組み合わさった筐体内に実装固定される構造部材である。フレーム６０は、ケーブル５０の配線経路の一部（端子５２を含む余長部分５３）を収納する凹形状の収納エリア６１を有する。収納エリア６１は、ケーブル５０経路配線に対して空間を広く形成されており、上部（カバー２０側の部分）が解放されている。収納エリア６１には、カバー２０側からケーブル５０の余長部分５３及びガスケット８０が収納される。フレーム６０には、カバー２０側から収納エリア６１を覆うように配されたケーブル押さえ蓋７０が取付固定される。フレーム６０は、電子回路基板３０上の特性に影響を与えないエリアにも配置されており、当該エリアにおけるカバー２０側の面にアンテナ基板４０が固定されている。フレーム６０は、ケーブル５０の配線経路を押し込み組付けられる溝部を有し、当該溝部にてケーブル５０の配線経路のはみ出しを抑制するための複数のフック６２を有する（図４参照）。
【００３３】
ケーブル押さえ蓋７０は、フレーム６０の収納エリア６１内にあるケーブル５０をガスケット８０を介して押さえ付ける蓋状の部材である。ケーブル押さえ蓋７０は、導体（例えば、金属）よりなり、ＳＵＳの他、Ｃｕ、Ａｌ等の金属や合金であっても構わない。また、ケーブル押さえ蓋７０の表面処理として、ニッケル、スズ、金等でメッキしても構わない。ケーブル押さえ蓋７０は、収納エリア６１を覆うようにフレーム６０に組付けられるとともに、ガスケット８０をケーブル５０側に押さえ付けてガスケット８０と弾性的に接触し、電子回路基板３０上に搭載されたオンボードコンタクト３２と弾性的に接触する。これにより、ケーブル５０の端子５２がガスケット８０、ケーブル押さえ蓋７０、及びオンボードコンタクト３２を介して電子回路基板３０の接地配線に電気的に接続することができ（図２参照）、アンテナ特性の安定化を図ることができる。また、ケーブル押さえ蓋７０により、収納エリア６１からケーブルが飛び出さないようにすることができる。
【００３４】
ガスケット８０は、フレーム６０の収納エリア６１内にてケーブル５０の端子５２とケーブル押さえ蓋７０とを電気的に接続するための部材である。ガスケット８０は、弾性変形可能な導体よりなる。ガスケット８０は、収納エリア６１の領域と同等サイズに形成されている（図５参照）。ガスケット８０は、フレーム６０の収納エリア６１内に配され（図５参照）、ケーブル押さえ蓋７０とケーブル５０との間に配されており（図２参照）、ケーブル押さえ蓋７０をフレーム６０の収納エリア６１に組付けることにより圧縮変形して、ケーブル５０の端子５２及びケーブル押さえ蓋７０と弾性的に接触する。
【００３５】
次に、本発明の実施例１に係る電子装置の組立について説明する。なお、電子装置の各構成部については、図１〜図５を参照されたい。
【００３６】
まず、電子回路基板３０に搭載されたコネクタ３１にケーブル５０のコネクタ５１ｂを接続固定する。次に、ケース１０にフレーム６０及び電子回路基板３０を組付ける。次に、ケーブル５０のコネクタ５１ａをアンテナ基板４０に搭載されたコネクタ４１に接続固定する。次に、フレーム６０を土台にアンテナ基板４０を組付ける。次に、ケーブル５０をフレーム６０のフック６２、フレーム６０とケース１０の隙間に押し込んでいき、ケーブル５０の端子５２をケーブル５０の余長部分５３と共に、フレーム６０の収納エリア６１に収める。このとき、余長部分５３を収納エリア６１に集めることで、予期しない部分での経路の変化がなく、ケーブル５０のケース１０とカバー２０との接続部分での噛み込みの懸念がなくなり、組立性が良好となる。また、ケーブル５０の経路が安定することでアンテナ特性の安定化にもつながる。
【００３７】
次に、フレーム６０の収納エリア６１内にガスケット８０を設置し、フレーム６０の収納エリア６１を覆うようにケーブル押さえ蓋７０をフレーム６０に組付ける。このとき、収納エリア６１には端子５２が収納されているため、ガスケット８０の弾性力によりケーブル押さえ蓋７０と端子５２とがガスケット８０を介して電気的に接続される。また、ケーブル押さえ蓋７０は、ガスケット８０との接触部から連続してオンボードコンタクト３２との接続部が設けられており、電子回路基板３０に搭載されたオンボードコンタクト３１と電気的に接続される。このとき、ガスケット８０のサイズをフレーム６０の収納エリア６１の領域と同等サイズとすることで、端子５２の位置に関わらず収納エリア６１内の全域で接触が可能となる。また、ガスケット８０の弾性力によってケーブル５０の余長部分５３を押さえ付けるため、振動によるビリツキが発生しないこととなる。また、ケーブル押さえ蓋７０は、ケーブル５０の余長部分５３の押さえ込み機能と共に接地接続の機能を兼ねているため、それぞれの機能を別々の専用部品で対応するのに比べ部品点数を抑えることができる。
【００３８】
実施例１によれば、以下のような効果を奏する。
【００３９】
第１の効果は、ケーブル５０の余長部分５３に対して専用の収納エリア６１を設けることで、余長部分５３の位置バラツキがなくなり、組立性を良くすることができる（図４参照）。
【００４０】
第２の効果は、ケーブル５０の余長部分５３が収納エリア６１に収まるため、ケース１０とカバー（図１の２０）との組み合わせ部分にてケーブル５０を噛み込まないようにすることができる（図４参照）。
【００４１】
第３の効果は、ケーブル５０の余長部分５３が、収納エリア６１に収まり、ガスケット８０及びケーブル押さえ蓋７０で弾性的に固定されるため、ケーブル５０のフォーミングが安定し、アンテナ特性への悪影響をなくすことができる（図４参照）。
【００４２】
第４の効果は、ケーブル５０の余長部分５３が、収納エリア６１に収まり、ガスケット８０及びケーブル押さえ蓋７０で弾性的に固定されるため、バイブ等の振動があっても余長部分５３が暴れず、ビリツキや異音の発生を防止することができる（図４参照）。
【００４３】
第５の効果は、ケーブル５０の余長部分５３においてシールド部に電気的に接続された端子５２を設け、端子５２をガスケット８０を介してケーブル押さえ蓋７０で押さえ付けるとともに、オンボードコンタクト３２をケーブル押さえ蓋７０で押さえ付けることで、端子５２がガスケット８０、ケーブル押さえ蓋７０、オンボードコンタクト３２を介して電子回路基板３０の接地に電気的に接続することができる（図２参照）。
【００４４】
第６の効果は、ガスケット８０が収納エリア６１の領域と同等サイズに形成されているので、ケーブル５０の端子５２が収納エリア６１内のどこにあっても端子５２がガスケット８０と接触可能であり、接触不良の懸念がない。
【００４５】
第７の効果は、ケーブル押さえ蓋７０が収納エリア６１に収まったガスケット８０を介してケーブル５０の端子５２を押さえ付けるとともに、ケーブル押さえ蓋７０がオンボードコンタクト３２を押さえつけるように、ケーブル押さえ蓋７０をフレーム６０に取付固定することで、接地接続と余長収納が同時に行えるため、組立工程数を抑えることができ、かつ、部品点数を抑えることができ、装置のコストダウンを図ることができる。
【００４６】
第８の効果は、ケース１０に電子回路基板３０、アンテナ基板４０、同軸ケーブル５０、及びフレーム６０を組み付けた後、ガスケット８０及びケーブル押さえ蓋７０を組付けるため、組立性を犠牲にすることなく接地接続することが可能である。
【００４７】
その他の実施例として、実施例１のようにバネ接点となるオンボードコンタクト３２を設けるのではなく、ケーブル押さえ蓋７０にバネ接点を設けることで、電子回路基板３０のオンボードコンタクトが不要となり、実施例１と比べて部品点数の削除が可能となる。
【００４８】
また、ケーブル５０に同軸ケーブルを用いる代わりに、フレキシブル配線基板を用いてもよい。この接続の場合、カシメ金具を用いた端子５２の代わりに、フレキシブル配線基板に接地用のランド開口または接触用プレートを搭載することにより、同箇所へのガスケット８０の接続で同様の構成が可能となる。
【００４９】
また、ケーブル５０に同軸ケーブルを用いる代わりにフレキシブル配線基板を用いる場合、ケーブル５０のシールド部分とケーブル押さえ蓋７０との電気的接続をガスケット８０を介して行っていたのを、フレキシブル配線基板においてケーブル押さえ蓋７０と弾性的に接触するオンボードコンタクトを搭載するようにしてもよい。これによりガスケット８０を削減することができ、同様の構成が可能となる。
【００５０】
また、ケーブル５０は、両端にあるコネクタ５１ａ、５１ｂを両方又は片方をハンダ付けタイプに置換して、アンテナ基板４０又は電子回路基板３０に接続固定してもよい。
【００５１】
ケーブル５０に同軸ケーブルを用いる代わりにフレキシブル配線基板を用いる場合、リジットフレキ基板を採用することにより、片方または両方のコネクタ５１ａ、５１ｂを削除することも可能である。
【００５２】
なお、本発明の全開示（請求の範囲及び図面を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲及び図面を含む全開示、技術的思想にしたがって当業者であればなし得るであろう各種変形、修正を含むことは勿論である。
【符号の説明】
【００５３】
１０、１１０  ケース
２０  カバー
３０、１３０  電子回路基板
３１  コネクタ
３２  オンボードコンタクト
４０  アンテナ基板
４１  コネクタ
５０、１５０  ケーブル
５１ａ、５１ｂ  コネクタ
５２、１５２  端子
５３、１５３ａ、１５３ｂ  余長部分
６０、１６０  フレーム
６１  収納エリア（収納部）
６２、１６２  フック
７０  ケーブル押さえ蓋（蓋部材）
８０  ガスケット
１３３  クランプ
【図１】
2012174942.tif 000003
【図２】
2012174942.tif 000004
【図３】
2012174942.tif 000005
【図４】
2012174942.tif 000006
【図５】
2012174942.tif 000007
【図６】
2012174942.tif 000008
【図７】
2012174942.tif 000009